(57)【要約】  本発明は、個別に包装された製品の輸送、保管及び店頭陳列に適した包装容器であって、滑り止め手段（２０）を含む上面（１１）を有する底部（１０）を備え、滑り止め手段は、個別に包装された製品に接着しない滑りにくい物質を含む、包装容器を提供する。本発明は、個別に包装された製品の一部が購入のために消費者によって取り出された際に製品を直立姿勢に維持することによって、個別に包装された製品の店頭での存在感を増すようにするものである。包装容器と個別に包装された複数の製品とを備える包装ユニット、並びに本明細書の包装容器及び包装ユニットを製造する方法も、更に提供される。
2009545500.tif 000002
【特許請求の範囲】
【請求項１】
収容可能な個別に包装された複数の製品を、輸送及び／又は陳列するための包装容器であって、
滑り止め手段を含む上面を有する底部を備え、
前記滑り止め手段は個別に包装された製品に物理的に接着しない滑りにくい物質を含む、ことを特徴とする包装容器。
【請求項２】
前記滑りにくい物質が接着剤を含む、請求項１に記載の包装容器。
【請求項３】
前記接着剤がホットメルト接着剤である、請求項１又は２に記載の包装容器。
【請求項４】
前記接着剤が、熱可塑性ゴム、非晶質ポリオレフィン、ポリアクリレート、ポリメタクリレート、アクリル酸共重合体、熱可塑性エラストマー、又はこれらの混合物に基づいた接着剤を含む、請求項１〜３のいずれか一項に記載の包装容器。
【請求項５】
前記滑りにくい物質が、前記底面の上面の全体に塗布されるか、又は１本の列もしくは間隔をおいた複数の列として塗布される、請求項１〜４のいずれか一項に記載の包装容器。
【請求項６】
前記底部が前部パネル側端部及び後部パネル側端部を有し、
前記滑りにくい物質が前部パネル側端部から後部パネル側端部へと底部の長さに沿って延びる１本の列又は間隔をおいた複数の列として塗布される、請求項５に記載の包装容器。
【請求項７】
前記間隔をおいた複数の列が直線状又は曲線状、好ましくは直線状である、請求項５又は６に記載の包装容器。
【請求項８】
前記間隔をおいた複数の列が直線状かつ互いに平行である、請求項５〜７のいずれか一項に記載の包装容器。
【請求項９】
前記滑りにくい物質が、少なくとも２本の列、より好ましくは２本の列として塗布される、請求項５〜８のいずれか一項に記載の包装容器。
【請求項１０】
ａ）請求項１〜９のいずれか一項に記載の包装容器と、
ｂ）個別に包装された複数の製品と、を備えた、包装ユニット。
【請求項１１】
前記個別に包装された製品が剛性の又は柔軟な包装、好ましくは柔軟な包装を有する、請求項１０に記載の包装ユニット。
【請求項１２】
前記個別に包装された製品が、前記底部の後部パネル端側に向かって垂直から約０°より大きく約４５°までの角度で傾斜するように包装ユニット内に充填される、請求項１０又は１１に記載の包装ユニット。
【請求項１３】
前記製品が、菓子製品、パーソナルケア製品、家庭及び洗濯用製品、ベビーケア製品、又はこれらの組み合わせ、好ましくは菓子製品又はパーソナルケア製品を含む、請求項９〜１２のいずれか一項に記載の包装ユニット。
【請求項１４】
個別に包装された製品の輸送及び／又は陳列に適した包装容器を製造する方法であって、
ａ）該包装容器へと組立てるか又は変形されるように構成された包装容器の底部であって、上面を有する底部を準備する工程と、
ｂ）前記底部上で包装される個別に包装された製品に物理的に接着しないように構成された滑りにくい物質を、前記底部の上面に塗布する工程と、
ｃ）前記底部を包装容器へと組立てるか又は変形させる工程と、を備えた、方法。
【請求項１５】
請求項１４に記載の方法に従って包装容器を製造する工程と、
個別に包装された複数の製品を前記包装容器内に充填する追加の工程と、を備えた、請求項１０〜１３のいずれか一項に記載の包装ユニットを製造する方法。
【発明の詳細な説明】
【技術分野】
【０００１】
本発明は、輸送、陳列、及び消費者による購入時に内部に保管された個別の包装製品を安定化させる改良された包装容器を提供する。包装容器は、個別に包装された製品に物理的に接着しない滑りにくい物質を含む滑り止め面を底部に有する。
【背景技術】
【０００２】
本発明は概して、個別に包装された複数の製品の輸送及び保管、並びに該製品を支持及び直立に陳列するための包装容器に関する。例えば菓子類、シリアル、スナック食品、パーソナルケア製品、家庭及び洗濯用製品、ベビーケア製品等の個別に包装された製品を輸送及び保管する目的で板紙製のカートン又は箱等の包装容器が長年用いられてきた。一般的には、封止された、取り外し可能な蓋又は一体形成された折り畳み式の上面が設けられた１個の包装容器内に個別に包装された複数の製品が詰められる。個別に包装された製品は、一般にこうした閉鎖又は封止された箱に入れられて製造現場から小売販売される場所にまで輸送される。個別に包装された製品を小売販売用に陳列するには、取り外し可能な蓋を取り外してから、包装容器全体を棚に載せて陳列ユニットとして使用することが可能であり、個別に包装された製品を箱から取り出して個別に棚に設置する必要がない。こうした陳列形態は小売業者にとって迅速かつ容易に設置可能であり、製造業者にとって、公共に対する広告スペースが包装容器上、及び個別に包装された製品上の両方でより大きくなる。
【０００３】
断面積が小さい底部を有する背の高い、個別に包装された製品では、製品の最も大きな面が消費者に向けて陳列されることが望ましい。しかしながら、こうした製品は、特に柔軟な包装で包装されているものは直立させて置いた場合に不安定である。包装容器が充填されている場合には、各製品は包装容器の周囲の側壁によって、及び製品同士の相互作用によって直立状態に保たれる。しかし、トレイの前面から最初の製品が取り出されると次の製品とトレイの前面との間に隙間が生じ、次の製品を直立状態に保つものがなくなってしまう。製品には倒れようとする顕著な傾向があり、柔軟な包装内の製品の場合では、製品の底部が包装容器の底部の上で滑ろうとする顕著な傾向があるため、製品は上向きで横倒しとなって、雑然とした見かけを与えるばかりか消費者の視野から見えにくくなってしまう。
【０００４】
従来技術による包装容器では、この問題を解決するために包装ユニット自体の設計に板紙又は厚紙の構造体を一般的に用いている。これは、包装容器自体の複雑な設計と大きな製造コストとを一般に伴う（例えば、英国特許第２２４０３２１  Ａ号、同第２１９９５６３  Ａ号、同第２３９００８３  Ａ号、及び同第２０７１０５６  Ａ号を参照）。したがって、個別に包装された製品を直立状態に維持する改善された安定性特徴を有する、個別に包装された製品の輸送及び陳列用の包装容器が求められている。
【先行技術文献】
【特許文献】
【０００５】
【特許文献１】英国特許第２２４０３２１  Ａ
【特許文献２】英国第２１９９５６３  Ａ号
【特許文献３】英国第２３９００８３  Ａ号
【特許文献４】英国第２０７１０５６  Ａ号
【発明の概要】
【課題を解決するための手段】
【０００６】
本発明は、収容可能な個別に包装された複数の製品を、輸送及び／又は陳列するための包装容器であって、滑り止め手段を含む上面を有する底部を備え、前記滑り止め手段は個別に包装された製品に物理的に接着しない滑りにくい物質を含む、ことを特徴とする包装容器を提供する。本発明は、本発明の包装容器と、個別に包装された複数の製品と、を備えた包装ユニットを更に提供する。本発明は更に、本発明の包装容器を製造する方法であって、
ａ）該包装容器へと組立てるか又は変形されるように構成された包装容器の底部であって、上面を有する底部を準備する工程と、
ｂ）前記底部上で包装される個別に包装された製品に物理的に接着しないように構成された滑りにくい物質を、前記底部の上面に塗布する工程と、
ｃ）前記底部を包装容器へと組立てるか又は変形させる工程と、を備えた方法を提供する。
【図面の簡単な説明】
【０００７】
【図１】組立て前の本発明に基づくカートンブランクを示す略図。
【図２】組立て後の図１のカートンブランクを示す図。
【発明を実施するための形態】
【０００８】
第１の実施形態において、本発明は、収容可能な個別に包装された複数の製品を、輸送及び／又は陳列するための包装容器であって、滑り止め手段を含む上面を有する底部を備え、前記滑り止め手段は個別に包装された製品に物理的に接着しない滑りにくい物質を含む、ことを特徴とする包装容器を提供する。
【０００９】
本発明の包装容器は、底部を有する。底部は、底部からほぼ垂直方向に上方へと延びる側部パネルを好ましくは有し、個別に包装された製品を内部に収容するのを助ける。これらの側部パネルは、個別に包装された製品が入れられる内部空間を画定してもよい。底部は、上面及び下面を有し、下面は包装容器の外側に面する方の面であり、包装容器が陳列位置に設置される際に棚の表面と接触する面である。底面の上面は包装容器に向かって内側に面し、個別に包装された製品が保管、輸送及び陳列のために置かれる底面を形成する。底部は好ましくは平面的形状であり、正方形又は長方形であることが好ましく、長方形であることがより好ましい。底部が正方形又は長方形である場合、底部は上方に延びる２つの側部パネルを一般に有しうる。包装容器が輸送及び陳列の両方における使用を意図したものである場合には、底部は上方に延びる前部及び後部パネルを更に有して、包装容器の内部空間を画定することができる。前部パネルは、消費者に向かって示される、包装容器の最前部となることが意図される包装容器の側壁として定義される。前部パネル及び後部パネルは底部の前部パネル側端部及び後部パネル側端部をそれぞれ規定する。
【００１０】
本発明の包装容器は、中の個別に包装された製品の輸送、及び棚での陳列の両方の目的で使用することができる。包装容器は、輸送後に棚陳列用ディスプレーとして使用されるように構成されていることが好ましく、これにより個別に包装された製品を店頭で陳列するための手作業量が低減する。したがって、本発明の包装容器は、蓋を更に有していることが好ましい。蓋は包装容器とは別に製造され、個別に包装された製品の包装後に別の組立て工程で包装容器に被せることができる。あるいは、蓋を包装容器の残りの部分と共に製造し、ミシン目又は他の分離手段を設けてもよい。包装容器自体から個別に包装された用品を取り出さずに、それらを店頭で陳列することができるよう、蓋は輸送後に簡単に取り外せることが好ましい。すなわち、蓋を取り外した包装容器が、個別に包装された用品が中に収容された状態で直接棚に置かれる。
【００１１】
包装容器の底部の上面は、個別に包装された製品に物理的に接着しない滑りにくい物質を含む滑り止め手段を有する。この滑りにくい物質によって、個別に包装された製品と底部の上面との間の摩擦力が増大する。滑りにくい物質が個別に包装された製品に物理的に接着するものである場合、個別に包装された製品が包装容器から取り出される際に製品が損傷する場合がある。滑りにくい物質としては、底部の上面の表面又は内部に、被覆、塗布、付着、又は別の方法で結合もしくは含浸させることが可能ないかなる物質であることもできる。好適な物質の非限定例としては、接着剤、ゴム材料、ラテックス材料、ラッカー、ニス、又はこれらの混合物が挙げられる。滑りにくい物質は接着剤を含むことが好ましく、より好ましくは滑りにくい物質は接着剤である。接着剤等の滑りにくい物質の使用は、より複雑な構造的安定化方法と比較して相対的に低コストである。更に、接着剤は包装容器の組立ての前後のいずれかにその底部に比較的容易に塗布することができることから、接着剤の使用によって包装容器の製造が改善される。特に、接着剤の使用は、自動化された製造プロセス及び高速プロセスに特に適している。
【００１２】
滑りにくい物質は、底部の上面の全体に被覆又は塗布することができる。更なる実施形態では、ゴム等の滑りにくい物質のシートを従来の接着法によって底部の上面に取り付けてもよい。あるいは、滑りにくい物質を、１本の線として、又はそれぞれが直線状もしくは曲線状、好ましくは直線状であり得る複数の線もしくは列として底部の上面に塗布してもよい。１本の列又は複数の列は、底部の上面の所定の領域によって間隔をおいてもよい。列自体は連続的であるか、あるいは複数のドット又はダッシュの形態のように、間に無被覆の領域を有する直線状の経路に沿った断続的部分の形態であってもよい（図１参照）。列は、前部パネル側端部から後部パネル側端部へと底部の長さに沿って、側部パネルの方向に概ね平行に延びていてもよいし、あるいは側部パネルから側部パネルへと底部の幅を横断し、前部及び後部パネル側端部に概ね平行に延びていてもよい。好ましくは、列は前部パネル側端部から後部パネル側端部へと底部の長さに沿って延びる。好ましくは、底部は間隔をおいた少なくとも２本の滑りにくい物質、好ましくは接着剤を含む。間隔をおいた少なくとも２本の滑りにくい物質の列が用いられる場合、列は直線状かつ互いに平行であることが好ましい。好ましい実施形態では、滑り止め手段は、前部パネル側端部から後部パネル側端部へと底部の長さを延びる２本の列で底部の上面に塗布される接着剤を含み、列は無被覆の底部の所定領域によって間隔をおかれ、各列の側部パネル側に無被覆の底部の所定領域を有し、ほぼ直線状かつ互いに平行である。
【００１３】
好ましい実施形態では、滑りにくい物質は接着剤を含む。本明細書で用いる「接着剤」なる語は、当業者に接着剤として知られるいかなる接着性組成物又は製品をも指す。ただし、接着剤は底部の上面にのみ塗布及び接着され、個別に包装された製品には施されない。接着剤は、包装容器内の個別に包装された製品を安定化させるために必要な摩擦力を接着剤と製品との間に与えるものであれば、いかなる接着剤であってもよい。接着剤は、個別に包装された製品が包装容器に入れられる前に硬化されることによって、接着剤と個別に包装された製品との間の物理的な接着が防止されるのが好ましい。接着剤が個別に包装された製品に物理的に接着するものである場合、個別に包装された製品が包装容器から取り出される際に製品が損傷する場合がある。好適な接着剤は、製品の種類及び個別に包装された製品を形成する製品の包装に応じて異なる。接着剤は、個別に包装された製品が中に入れられた際に底部の上面に接着した状態で、接着剤の上に載せられる製品に機械的なグリップを提供するだけの充分な強さを有する必要があり、これにより滑り止め面が提供される。
【００１４】
接着剤はホットメルト接着剤であることが好ましい。ホットメルト接着剤は一般に自動化された製造により適しており、速やかに塗布することが可能で、室温での保管及び輸送における安定性が高いことから、好ましい。本発明で用いるホットメルト接着剤は、高温で塗布されると底部の上面に接着するが、一旦冷めると更なる表面に対する接着性が制限されるように設計されるのが好ましい。こうした接着剤は「低粘着性」接着剤と呼ばれる。
【００１５】
本発明で用いる好ましいホットメルト接着剤としては、ＡＳＴＭ  Ｅ２８−９９に従ってリング及びボール装置を使用して測定した軟化点が約７０℃〜約１５０℃、好ましくは約８０℃〜約１２５℃、より好ましくは約９０℃〜約１２０℃であるような接着剤が挙げられる。ホットメルト接着剤には、低温樹脂並びに高融点樹脂は含まれない。好ましくは、ホットメルト接着剤は約５００〜約１５０００ｍＰａ・ｓ、より好ましくは約１０００〜約１００００ｍＰａ・ｓ、更に好ましくは約１０００〜約５０００ｍＰａ・ｓの粘度を有する。本明細書で用いる粘度は、ＡＳＴＭ  Ｄ  ３２３６−８８に従い、ブルックフィールド粘度計、２７番スピンドルを使用して１７５℃で測定される。
【００１６】
好適なホットメルト接着剤は、熱可塑性ゴム、非晶質ポリオレフィン、ポリアクリレート、ポリメタクリレート、アクリル酸共重合体、熱可塑性エラストマー、又はこれらの混合物に基づいたものである。好ましくは、ホットメルト接着剤は熱可塑性エラストマーに基づいたものである。オレフィン系エラストマー（ＴＰＯ）、スチレン系エラストマー（ＴＰＳ）、ウレタン系エラストマー（ＴＰＵ）、架橋エチレンプロピレンジエン合成ゴム（ＴＰＶ）、アクリルニトリルブタジエンＰＶＣ合成ゴム（ＴＰＺ）、ナイロン系エラストマー（ＴＰＡ）、又はこれらの混合物を含む熱可塑性エラストマーがより好ましく、中でもスチレン系エラストマーが好ましい。更に好ましい接着剤には、炭化水素及び樹脂を更に含むスチレン系エラストマーが含まれる。本明細書における使用に適したホットメルト接着剤の非限定的な例として、エイチ・ビー・フラー（H. B. Fuller）より入手可能なルナタック（LUNATACK）（登録商標）Ｐ  ４０８０Ｃが挙げられる。
【００１７】
本発明の包装容器は、輸送及び陳列用包装容器の分野で一般的に知られる多くの材料から製造することができる。好適な例としては、板紙、厚紙、木材、金属、繊維板、段ボール、プラスチックトレイ、熱成形プラスチックトレイ、これらの混合物等が挙げられる。好ましくは、包装容器は段ボールから製造され、これは、紙ベースのライナーと、段ボールに機械的強度を与える紙ベースのフルーティング材料との、層構造体である。包装容器は、図１のように底部を有するカートンブランクから製造され、これは次に折り曲げられ、側部パネルは接着剤又はステープラーなどの従来の取り付け手段を用いて固定される。
【００１８】
本発明の更なる実施形態では、滑りにくい物質を含む滑り止め手段を備える上面を有する底部を備えた包装容器を備えた包装ユニットであって、個別に包装された複数の製品を更に備えた包装ユニットが提供される。
【００１９】
本明細書における使用に適した個別に包装された製品としては、菓子製品、パーソナルケア製品、家庭及び洗濯用製品、ベビーケア製品、又はこれらの組み合わせが挙げられ、中でも菓子製品又はパーソナルケア製品が好ましい。本発明における好ましい菓子製品としては、キャンディー、チューインガム、グミ、又はこれらの混合物が挙げられる。好ましいパーソナルケア製品としては、石鹸、シャンプー又はコンディショナーが挙げられる。
【００２０】
本発明の包装容器で輸送及び陳列するのに適した個別に包装された製品は、いかなる製品であってもよい。製品は、剛性又は柔軟な包装、好ましくは柔軟な包装で個別のユニットとして包装することができる。柔軟な包装の好適な種類としては、柔軟性材料の単一層、又はポリエチレンもしくはポリプロピレン、アルミニウム、ポリエチレンテレフタレート、ナイロン、ポリスチレン、ポリ塩化ビニル、紙、もしくはこれらの混合物を含むリストから選択される少なくとも２層の柔軟性材料を含む多層積層体のいずれかを含む、任意の柔軟性包装材料が挙げられる。好ましい柔軟な包装は、互いに結合された少なくとも２層の柔軟性材料を含む多層積層体を含む。より好ましい柔軟な包装は、少なくとも１層の延伸ポリプロピレン層と、ポリエチレン、ポリプロピレン、アルミニウム、ポリエチレンテレフタレート、ナイロン、ポリスチレン、ポリ塩化ビニル、紙、又はこれらの混合物、好ましくはポリエチレン、ポリプロピレン又はこれらの混合物を含むリストから選択されるものの少なくとも１層とを含む多層積層体を含む。柔軟な包装は、封止された袋もしくはサッシェの形状、又はガセットパウチもしくはガセット袋に製造することができる。好ましくは、柔軟な包装は少なくとも１つの封止された縁部を有する封止された袋である。
【００２１】
個別に包装された製品が柔軟な包装を有する場合には、柔軟な包装は、滑りにくい物質を含む底部の上面上に特定の向きで置かれることが好ましい。好ましくは、柔軟な包装は、底部上に垂直とならないように配向される。好ましくは、柔軟な包装は、包装容器の後部パネル側端部に向かって傾斜するように包装容器に詰められる。柔軟な包装は、垂直から約０°より大きく約４５°までの角度で包装容器の後部パネル側端部に向かって傾斜することがより好ましい。更に好ましくは、角度は垂直から約１０°〜約４０°であり、一層好ましくは、垂直から約２０°〜約３５°である。柔軟な包装が詰められる角度は、店頭で棚に陳列される際、特に消費者によって包装容器から最初の数個の個別に包装された製品が取り除かれた後において、個別に包装された製品の安定性に影響することが期せずして明らかとなった。製品が垂直又は４５°を超えた角度で包装されている場合、個別に包装された製品は、前方又は後方に倒れやすくなって陳列領域が消費者の視界から見えにくくなる。包装角度は滑りにくい物質と併せて、輸送時及び棚での陳列時、特に包装容器から最初の数個の個別に包装された製品が取り出された後において、個別に包装された製品の安定性及び視認性を維持する。
【００２２】
本発明は、本発明の包装容器を製造する方法を更に提供する。包装容器を組立てる方法自体は、当業者に一般に知られている。一般に、板紙又は厚紙を用いる場合、図１に示されるもののような容器底部を有するカートンブランクが提供され、これを所定の折り目に沿って折ることによって組立てるか又は変形させ、直立した側部、前部及び後部パネルを接着剤又はステープラーによって固定する。あるいは、包装容器は、容器底部、並びに別個の側部、前部及び後部パネル、並びに所望により蓋を提供し、側部、前部及び後部パネルを底部に取り付けた後、任意の蓋を取り付けることによって個々の部品を包装容器へと組立てるか又は変形させることによって製造することができる。本発明の滑りにくい物質を含む滑りどめ手段は、カートンブランク又は容器底部の製造時よりも、包装容器の製造の組立て段階において適用することが、カートンブランク又は容器底部の輸送性及び組立て又は変形段階における加工性を向上させることから、特に好適であることが判明した。
【００２３】
本発明の包装容器は、
ａ）該包装容器へと組立てるか又は変形されるように構成された包装容器の底部であって、上面を有する底部を準備する工程と、
ｂ）前記底部上で包装される個別に包装された製品に物理的に接着しないように構成された滑りにくい物質を、前記底部の上面に塗布する工程と、
ｃ）前記底部を包装容器へと組立てるか又は変形させる工程と、を備えた方法によって製造することができる。
【００２４】
この製造方法では、工程（ａ）及び工程（ｂ）は順次、すなわち先ず工程（ａ）、次いで工程（ｂ）が行われることが好ましい。工程（ｂ）及び工程（ｃ）はいずれの順序で行われてもよい。すなわち先ず工程（ｂ）次いで工程（ｃ）としてもよく、あるいは工程（ｃ）に次いで工程（ｂ）を行ってもよい。別の実施形態では、工程（ｂ）及び（ｃ）を同時に行ってもよい。底部を包装容器へと組立てるか又は変形させる工程（ｃ）では、側部パネル、並びに好ましくは前部及び後部パネルを垂直位置に取り付け及び／又は立ち上げることが好ましい。これらのパネルは、包装容器構築の分野の当業者には公知の取り付け手段を使用して固定される。非限定例としては、接着剤又はステープラーの使用が挙げられるが、側壁はネジ、ブラケット、釘、又はこれらの組み合わせ等の他の取り付け手段によって取り付けてもよい。
【００２５】
本製造方法は、個別に包装された製品を上記のように製造された包装容器に包装するのに先立って、底部の上面に塗布された滑りにくい物質を凝固、冷却又は硬化させる工程を更に含んでもよい。この工程は底部に滑りにくい物質を塗布した後に行われなければならないが、底部の本発明の包装容器への組立て又は変形の前、後、又は間に行ってよい。滑りにくい物質は、少なくとも約１０秒、好ましくは約１０秒〜約１２０秒、より好ましくは約２０秒〜約６０秒にわたって凝固、冷却又は硬化させることが好ましい。
【００２６】
滑りにくい物質が接着剤を含む場合、接着剤は、垂直の側部、前部及び後部パネルを固定するために用いられる接着剤の塗布の前、同時、又は後に、底部の上面に塗布されることが好ましい。こうした構築方法によって、本発明の包装容器の組立ての速度及び容易性が向上する。これは更に、中の個別に包装された製品の安定化効果をもたらすために包装容器に複雑な機械的操作を行う必要がなくなる。
【００２７】
底部を本発明の包装容器へと組立てるか又は変形させた後、上記の製造方法によって得られる包装容器を得て、個別に包装された複数の製品を中に入れることによって、本発明の包装ユニットを製造することができる。個別に包装された製品は、垂直から０°より大きく約４５°まで、より好ましくは垂直から約１０°〜約４０°、更に好ましくは垂直から約２０°〜約３５°の角度で包装容器の後部パネルに向かって傾斜するように包装容器内に包装されることが好ましい。
【実施例】
【００２８】
段ボールから形成された図１に基づく底部を備えるカートンブランクを準備する。このカートンブランクを組立てて、本発明の包装容器を作り出すことができる。カートンブランクは、上面（１１）及び下面（１２）を有する長方形の底部（１０）を有する。長方形の底部（１０）の長辺に沿って２個の側部パネル（１３、１４）が設けられており、カートンブランクでは水平位置にあるが、組立て後には包装容器の底部（１０）から垂直方向に上方に延びる。底部（１０）の前部パネル側端部（１７）には、前部パネル（１５）が設けられている。底部（１０）の後部パネル側端部（１８）には、後部パネル（１６）が設けられている。前部及び後部パネル（１５、１６）はカートンブランクでは水平位置にあるが、側部パネルと同様、組立て後には包装容器の底部（１０）から垂直方向に上方に延びる。一般に、側部パネル（１３、１４）並びに前部及び後部パネル（１５、１６）は、直立パネル（１３、１４、１５、１６）から底部（１０）を分離する折り目（１９）に沿ってカートンブランクを折ることによって立ち上げられる。前部及び後部パネル（１５、１６）はヘンケル・テクノロジーズ（Henkel Technologies）より入手可能である接着剤ＨＬ９２０２を使用することによって側部パネルに対して固定される。
【００２９】
包装ユニットは組立てられると、図２のような外観を呈する。滑り止め手段を破線（２０）で示してある。滑り止め手段（２０）は、エイチ・ビー・フラー（H. B. Fuller）より入手可能である、軟化温度が９２℃、１７５℃における粘度が１７００ｍＰａ・ｓであるホットメルト接着剤ルナタック（LUNATACK）（登録商標）Ｐ４０８０Ｃからなる、間隔をおいた２本の平行な直線状の列を形成する。直線状の列は、包装容器の長さ方向の軸線に沿った、前部パネル側端部（１７）から後部パネル側端部（１８）へと延びる一連のダッシュとして塗布される。滑りにくい物質であるルナタック（LUNATACK）（登録商標）Ｐ４０８０Ｃホットメルトは、側部、前部及び後部パネル（１３、１４、１５、１６）を一体に保持する、エイチ・ビー・フラー（H. B. Fuller）より入手可能なポリエチレン系ホットメルト接着剤ＨＬ９２０２の塗布の前、後又は同時に、機械による組立て時にカートンブランクに塗布される。次いで、底部（１０）、側部パネル（１３、１４）並びに前部及び後部パネル（１５、１６）を立ち上げて包装容器を形成する。完成した包装容器は、約２０〜約３０秒間静置させて、充填段階に移行する前に、滑りにくい物質であるルナタック（LUNATACK）（登録商標）Ｐ４０８０Ｃホットメルト及びＨＬ９２０２接着剤を冷ます。
【００３０】
組立てられ、接着剤が硬化した時点で、延伸ポリプロピレン層及びポリエチレン層を含む多層積層体から形成された柔軟な包装に入れられた菓子製品を含む１２個〜２０個の個別に包装された製品を、包装容器に入れる。柔軟な包装は、袋の下部及び上部に２つの封止された縁部を有する封止された袋を含む。柔軟な包装は、垂直に対して３０°の角度で包装容器内の上面（１１）で滑り止め手段（２０）の上に置かれる。包装容器は店頭に輸送され、そこで包装容器は、小売販売の陳列用に棚に直接置かれる。輸送後及び最初の数個の個別に包装された製品が包装容器から取り出された後であっても、個別に包装された製品が消費者に向かって前面を向けた状態で直立状態に維持されることから、個別に包装された製品は店頭の棚で存在感が増す。
【図１】
2009545500.tif 000003
【図２】
2009545500.tif 000004
【国際調査報告】
2009545500.tif 000005
2009545500.tif 000006
2009545500.tif 000007